(57)【要約】【課題】携帯電話機を折り畳んだときも、開いたときも不自然さのない動物を表現できる二つ折り携帯電話機用カバーを提供すること。【解決手段】二つ折り携帯電話機ＢのカバーＡであって、このカバーＡは動物を模して形成されるとともに、二つ折り携帯電話機Ｂの背面を覆うように形成され、このカバーＡは受話器側筐体Ｂ１に取着する上部カバーＡ１と、送話器側筐体Ｂ２に取着する下部カバーＡ２とから構成され、上部カバーＡ１の上端には動物の頭部１が設けられるとともに両側部には第1の脚部２が設けられ、下部カバーＡ２の下端には第２の脚部３が設けられ、上記携帯電話機Ｂの折畳時には上記第１の脚部２は後脚を、上記第２の脚部３は前脚をそれぞれ構成し、上記携帯電話機Ｂの開き時には上記第１の脚部２は前脚を、上記第２の脚部３は後脚をそれぞれ構成するようにした。【選択図】図１
0003114153.tif 000002
【実用新案登録請求の範囲】
【請求項１】
以下の要件を備えることを特徴とする二つ折り携帯電話機用カバー。
（イ）上記携帯電話機用カバーは動物を模して形成され、二つ折り携帯電話の背面を覆うように形成されていること
（ロ）上記携帯電話機用カバーは受話器側筐体に取着する上部カバーと、送話器側筐体に取着する下部カバーとから構成され、上部カバーの上端には動物の頭部が設けられるとともに両側部には第1の脚部が設けられ、下部カバーの下端には第２の脚部が設けられていること
（ハ）上記携帯電話の折畳時には上記第１の脚部は後脚を、上記第２の脚部は前脚をそれぞれ構成し、上記携帯電話の開き時には上記第１の脚部は前脚を、上記第２の脚部は後脚をそれぞれ構成すること
【考案の詳細な説明】
【技術分野】
【０００１】
本考案は、二つ折り携帯電話機用カバー、詳しくは携帯電話の折畳時にも開き時にも違和感のない動物を構成する二つ折り携帯電話機用カバーに関するものである。
【背景技術】
【０００２】
携帯電話機を保護するカバーとして様々なものが提案され実用化されているが、単に機能的に保護するだけではなく見た目にも楽しく面白みのあるカバーが提案されている（例えば、特許文献１）。このカバーは、動物を模して形成されるとともに中央部分から折り曲げ可能になっており、中央部分は動物の首部を構成し、その上部は頭部、その下部は胴体部を構成したものであり、胴体部分には手部と足部とを設けたものである。
【特許文献１】実用新案登録第３０８０８７３号公報
【考案の開示】
【考案が解決しようとする課題】
【０００３】
本考案が解決しようとする問題点は、上述のカバーは中央から上部は顔部を構成し、中央から下部分は胴体部を構成しているため、顔部と胴体部との大きさが同じであり、折り畳んだ際には顔部の両側に手部と足部との両方が見え、不自然さは否めない点であった。
【０００４】
本考案は、上記問題点を解決し、携帯電話機を折り畳んだときも、開いたときも不自然さのない動物を表現できる二つ折り携帯電話機用カバーを提供することを課題とする。
【課題を解決するための手段】
【０００５】
前記課題を解決するために本考案に係る二つ折り携帯電話機用カバーは、以下の要件を備えることを特徴とする。
（イ）上記携帯電話機用カバーは動物を模して形成され、二つ折り携帯電話の背面を覆うように形成されていること
（ロ）上記携帯電話機用カバーは受話器側筐体に取着する上部カバーと、送話器側筐体に取着する下部カバーとから構成され、上部カバーの上端には動物の頭部が設けられるとともに両側部には第1の脚部が設けられ、下部カバーの下端には第２の脚部が設けられていること
（ハ）上記携帯電話の折畳時には上記第１の脚部は後脚を、上記第２の脚部は前脚をそれぞれ構成し、上記携帯電話の開き時には上記第１の脚部は前脚を、上記第２の脚部は後脚をそれぞれ構成すること
【考案の効果】
【０００６】
本考案によれば、二つ折り携帯電話機を保護するカバーを動物を模して形成するとともに、その動物の状態が携帯電話機の開き時も、折畳時も不自然さを感じさせることのない携帯電話機用カバーを提供することができる。
【考案を実施するための最良の形態】
【０００７】
図１において符号Ａは、本考案に係る二つ折り携帯電話機用カバーの一例を示し、この二つ折り携帯電話機用カバー（以下、カバーという）Ａは動物（レッサーパンダ）を模して形成され、携帯電話機に取着した時には携帯電話機Ｂの背面を覆うように形成されている。
【０００８】
このカバーＡは携帯電話機Ｂの受話器側筐体Ｂ１に取着する上部カバーＡ１と、送話器側筐体Ｂ２に取着する下部カバーＡ２とから構成され、上部カバーＡ１の上端にはレッサーパンダの頭部１が設けられるとともに両側部には第１の脚部２、２が設けられ、下部カバーＡ２の下端には第２の脚部３、３がそれぞれ設けられている。
【０００９】
カバーＡの内側面の携帯電話機に接触する部分には樹脂製のシート５が取り付けられ、上部には受話器側筐体Ｂ１の上部を収容する第１の収容部６が形成され、下部には送話器側筐体Ｂ２の下部を収容する第２の収容部７が形成されている。
【００１０】
図１に示すように、カバーＡを前面から見たときには、第１の脚部２はレッサーパンダの前脚を構成するように肩部から脚先まで同じ色（例えば、黒茶色）の布部材ａで形成され、第２の脚部３は第２の収容部７から脚先まで第１の脚部２と同色の布部材ａで形成されているが、カバーＡを背面から見たときには、図２に示すように、第１の脚部２は胴体部８の下部両側に見える部分だけが前面の第１の脚部２と同色の布部材ａで形成され、上部カバーＡ１の大部分は背中を構成する他の色（例えば、赤茶色）の布部材ｂで形成されている。
【００１１】
なお、胴体部８を構成する上部カバーＡ１の下部には尻尾１０が取り付けられている。
【００１２】
上記構成のカバーＡは、第１の収容部６、第２の収容部７に携帯電話機Ｂの受話器側筐体Ｂ１の上部、送話器側筐体Ｂ２の下部をそれぞれ差し込むことにより、図３に示すように、携帯電話機ＢにカバーＡを取り付けることができる。
【００１３】
この状態では、両手を下げてレッサーパンダが立ち上がっている状態を再現することができる。
【００１４】
そして、図４に示すように、携帯電話機Ｂを折り畳むと、下部カバーＡ２は上部カバーＡ１の下側に位置し、第１の脚部２が胴体部８の後部から視認でき、第２の脚部３が頭部１の下側に位置するので、第１の脚部２は後脚を構成し、第２の脚部３は前脚を構成することになるので、あたかもレッサーパンダが腹這いになったような状態を作り出すことができる。
【００１５】
上述したように、携帯電話機Ｂに取付けたカバーＡは、携帯電話機Ｂを開いた状態では第１の脚部２が前脚を、第２の脚部３が後脚を構成し、携帯電話機Ｂを折り畳んだ状態では第１脚部２が後脚を、第２の脚部３が前脚を構成するので、何れの状態であっても動物を自然な状態で視認することができ、不自然さを解消することができるので心を癒すカバーＡを実現することができる。
【図面の簡単な説明】
【００１６】
【図１】本考案に係る２つ折り携帯電話機用カバーの一例を示す斜視図
【図２】上記携帯電話機用カバーの背面側斜視図
【図３】上記携帯電話機用カバーを取り付けた携帯電話機の開いた状態を示す斜視図
【図４】上記携帯電話機用カバーを取り付けた携帯電話機の折り畳んだ状態を示す斜視図
【符号の説明】
【００１７】
１    頭部
２    第１の脚部
３    第２の脚部
Ａ    携帯電話機用カバー
Ａ１    上部カバー
Ａ２    下部カバー
Ｂ    携帯電話機
Ｂ１    受話器側筐体
Ｂ２    送話器側筐体
【図１】
0003114153.tif 000003
【図２】
0003114153.tif 000004
【図３】
0003114153.tif 000005
【図４】
0003114153.tif 000006